(57)【特許請求の範囲】
【請求項１】
パイプ回り以外の箇所にタイルを施工し、
直交する第１の辺及び第２の辺と、パイプの外周縁に対応した内周縁を有してパイプを挿入可能な穴とを備える板状のタイル切断用定規をパイプに外挿して配置し、
タイル切断用定規の第１の辺とこれに近接するタイルの辺との距離を二箇所測定し、両距離が同じ距離（第１の距離）になるようにタイル切断用定規の角度を調整し、
タイル切断用定規の第２の辺とこれに近接するタイルの辺との距離（第２の距離）を測定し、
パイプ回りに施工するタイルを別の箇所に仮配置し、
第１の距離及び第２の距離に基づき、仮配置したタイルの上にタイル切断用定規を位置決めし、
タイル切断用定規の穴の内周縁に沿って仮配置したタイルの上に円を描き、
描いた円に沿ってタイルを切断する
タイルをパイプ回りの形状に合わせて切断するタイルの切断方法。
【請求項２】
タイル切断用定規は、一つの辺と穴の内周縁とを結ぶ分割線をさらに備え、径方向からパイプを挿入可能である
請求項１に記載のタイルの切断方法。
【請求項３】
タイル切断用定規の穴の内周縁は、パイプの外径に、パイプとタイルとの間の目地の幅を加えた内径を有し、タイル切断用定規は、穴の内周縁の少なくとも三箇所から中心に向かって目地の幅に相当する量で突出する突起をさらに備える
請求項１又は請求項２に記載のタイルの切断方法。
【発明の詳細な説明】
【技術分野】
【０００１】
本発明は、パイプ回りに施工するタイルをそのパイプ回りの形状に合わせて切断するタイルの切断方法に関する。
【背景技術】
【０００２】
図９に示すように、一部にパイプＰが立ち上がっている地面や壁面にタイルを施工する場合、パイプＰ回り以外の箇所には、そのままタイルＴ１を施工するが、パイプＰ回りには、そのパイプＰ回りの形状に合わせて切断したタイルＴ２を施工する。施工に際しては、タイル間に幅Ｈの隙間を設け、その隙間に目地材を入れて目地を設ける。タイルＴ２とパイプＰとの間にも幅Ｈの隙間を形成し、目地を設ける。目地が必要でない場合は、隙間を設けずにタイルＴ１，Ｔ２を施工する。
【０００３】
この場合、タイルＴ２は、次のようにして切断される。まず、図１０（ａ）に示すように、ｉ）パイプＰ回り以外の箇所にタイルＴ１を施工し、ｉｉ）パイプＰとこれに近接するタイルＴ１の４つの各辺との距離（４方向の距離）Ｌ１，Ｌ２，Ｌ３，Ｌ４を測定する。次に、図１０（ｂ）に示すように、ｉｉｉ）パイプＰ回りに施工するタイルＴ２（本例では４枚）を別の箇所に仮配置し、ｉｖ）４方向の距離Ｌ１，Ｌ２，Ｌ３，Ｌ４に基づき、仮配置したタイルＴ２の上に四角形を描く。具体的には、幅Ｈの隙間を設けてタイルＴ２を仮配置し、タイルＴ２の第１の辺から距離（Ｌ１−Ｈ）（目地を設けない場合はＨ＝０、以下、同様。）の位置に第１の辺と平行な線Ａを描き、タイルＴ２の第２の辺から距離（Ｌ２−Ｈ）の位置に第２の辺と平行な線Ａを描き、タイルＴ２の第３の辺から距離（Ｌ３−Ｈ）の位置に第３の辺と平行な線Ａを描き、タイルＴ２の第４の辺から距離（Ｌ４−Ｈ）の位置に第４の辺と平行な線Ａを描く。
【０００４】
次に、図１１（ａ）に示すように、ｖ）四角形の対角線Ｂを描き、交点Ｃを求め、ｖｉ）交点Ｃを中心とした円Ｄを描く。交点Ｃは、パイプＰの中心と一致するので、半径（Ｒ＋Ｈ）の円Ｄは、タイルＴ２とパイプＰとの間の幅Ｈの隙間を考慮したタイルＴ２の切断線となる。そこで、図１１（ｂ）に示すように、ｖｉｉ）描いた円Ｄに沿ってタイルＴ２を切断する。これにより、パイプＰと干渉することなく、タイルＴ２をパイプＰ回りに施工することができる。
【発明の概要】
【発明が解決しようとする課題】
【０００５】
しかしながら、上記従来の方法は、４方向の距離Ｌ１，Ｌ２，Ｌ３，Ｌ４の測定作業、４本の線Ａを描く作業、対角線Ｂを描く作業、円Ｄを描く作業といった多くの作業が必要であり、非常に煩雑なものであった。
【０００６】
しかも、４方向の距離Ｌ１，Ｌ２，Ｌ３，Ｌ４の測定は、スケールの先端をパイプＰの外周面に当てて行うが、スケールの当り方が悪い、スケールが斜めになる、といったことにより、測定誤差が生じやすい。この場合は、交点ＣがパイプＰの中心からずれるため、タイルＴ２の切断縁がパイプＰの外周縁と同心にならず、タイルＴ２とパイプＰとの間の隙間が不均一なものとなり、見栄えが悪い仕上がりとなってしまう。
【０００７】
そこで、本発明は、かかる事情に鑑みてなされたもので、パイプ回りに施工するタイルをパイプ回りの形状に合わせて切断する作業を簡素化することができ、かつ、パイプ回りのタイルの施工をきれいに仕上げることができるタイルの切断方法を提供することを課題とする。
【課題を解決するための手段】
【０００８】
本発明に係るタイル切断用定規は、
パイプ回りに施工するタイルをそのパイプ回りの形状に合わせて切断するためのタイル切断用定規であって、
板状に形成され、
直交する第１の辺及び第２の辺と、
パイプの外周縁に対応した内周縁を有してパイプを挿入可能な穴とを備える
タイル切断用定規である。
【０００９】
このタイル切断用定規を用い、
ｉ）パイプ回り以外の箇所にタイルを施工し、
ｉｉ）タイル切断用定規をパイプに外挿して配置し、
ｉｉｉ）タイル切断用定規の第１の辺とこれに近接するタイルの辺との距離を二箇所測定し、両距離が同じ距離（第１の距離）になるように（すなわち、タイル切断用定規の第１の辺がこれに近接するタイルの辺と平行になるように）タイル切断用定規の角度を調整し、
ｉｖ）（調整工程により平行になった）タイル切断用定規の第２の辺とこれに近接するタイルの辺との距離（第２の距離）を測定し、
ｖ）パイプ回りに施工するタイルを別の箇所に仮配置し、
ｖｉ）第１の距離及び第２の距離に基づき、仮配置したタイルの上にタイル切断用定規を位置決めし、
ｖｉｉ）タイル切断用定規の穴の内周縁に沿って仮配置したタイルの上に円を描き、
ｖｉｉｉ）描いた円に沿ってタイルを切断する
という方法により、タイルをパイプ回りの形状に合わせて切断することができる。
【００１０】
ここで、本発明に係るタイル切断用定規の一態様として、
一つの辺と穴の内周縁とを結ぶ分割線をさらに備え、
径方向からパイプを挿入可能である
との構成を採用することができる。
【００１１】
また、本発明に係るタイル切断用定規の他態様として、
穴の内周縁は、パイプの外径に、パイプとタイルとの間の目地の幅を加えた内径を有し、
穴の内周縁の少なくとも三箇所から中心に向かって目地の幅に相当する量で突出する突起をさらに備える
との構成を採用することができる。
【発明の効果】
【００１２】
以上の如く、本発明に係るタイルの切断方法によれば、作業工程が減るため、パイプ回りに施工するタイルをパイプ回りの形状に合わせて切断する作業を簡素化することができる。また、本発明に係るタイルの切断方法によれば、測定誤差が生じにくくなるため、パイプ回りのタイルの施工をきれいに仕上げることができる。
【図面の簡単な説明】
【００１３】
【図１】図１（ａ）は、本発明の一実施形態に係るタイル切断用定規の平面図である。図１（ｂ）は、同タイル切断用定規の中心断面図である。
【図２】図２（ａ）は、パイプ回りに施工するタイルをそのパイプ回りの形状に合わせて切断する方法の説明図であって、ｉ）パイプ回り以外の箇所にタイルを施工し、ｉｉ）タイル切断用定規をパイプに外挿して配置した状態の図である。図２（ｂ）は、同方法の説明図であって、ｉｉｉ）タイル切断用定規の第１の辺とこれに近接するタイルの辺との距離を二箇所測定し、両距離が同じ距離（第１の距離）になるようにタイル切断用定規の角度を調整し、ｉｖ）タイル切断用定規の第２の辺とこれに近接するタイルの辺との距離（第２の距離）を測定した状態の図である。
【図３】図３（ａ）は、同方法の説明図であって、ｖ）パイプ回りに施工するタイルを別の箇所に仮配置し、ｖｉ）第１の距離及び第２の距離に基づき、仮配置したタイルの上にタイル切断用定規を位置決めし、ｖｉｉ）タイル切断用定規の穴の内周縁に沿って仮配置したタイルの上に円を描いた状態の図である。図３（ｂ）は、同方法の説明図であって、ｖｉｉｉ）描いた円に沿ってタイルを切断した状態の図である。
【図４】図４（ａ）及び（ｂ）は、図３（ａ）及び（ｂ）とは異なる方法の説明図である。
【図５】図５（ａ）は、他実施形態に係るタイル切断用定規の平面図である。図５（ｂ）は、別の実施形態に係るタイル切断用定規の平面図である。
【図６】図６（ａ）は、さらに別の実施形態に係るタイル切断用定規の平面図である。図６（ｂ）は、同タイル切断用定規の中心断面図である。
【図７】図７（ａ）は、さらに別の実施形態に係るタイル切断用定規の平面図である。図７（ｂ）は、さらに別の実施形態に係るタイル切断用定規の平面図である。
【図８】図８は、さらに別の実施形態に係るタイル切断用定規の平面図である。図８（ｂ）は、さらに別の実施形態に係るタイル切断用定規の平面図である。
【図９】図９は、一部にパイプが立ち上がっている地面に対するタイルの一般的な施工例の説明図である。
【図１０】図１０（ａ）は、パイプ回りに施工するタイルをそのパイプ回りの形状に合わせて切断する従来の方法の説明図であって、ｉ）パイプ回り以外の箇所にタイルを施工し、ｉｉ）パイプとこれに近接するタイルの４つの各辺との距離（４方向の距離）を測定した状態の図である。図１０（ｂ）は、同方法の説明図であって、ｉｉｉ）パイプ回りに施工するタイルを別の箇所に仮配置し、ｉｖ）４方向の距離に基づき、仮配置したタイルの上に四角形を描いた状態の図である。
【図１１】図１１（ａ）は、同方法の説明図であって、ｖ）四角形の対角線を描き、交点を求め、ｖｉ）交点を中心とした円を描いた状態の図である。図１１（ｂ）は、同方法の説明図であって、ｖｉｉ）描いた円に沿ってタイルを切断した状態の図である。
【発明を実施するための形態】
【００１４】
以下、本発明に係るタイル切断用定規の一実施形態について、図１〜図４を参酌して説明する。
【００１５】
図１に示すように、タイル切断用定規１は、長方形（正方形を含む）の板からなる。タイル切断用定規１は、プラスチック製やゴム製の板であり、１０ｍｍ以下、より好ましくは、５ｍｍ以下、さらに好ましくは、３ｍｍ以下の厚みを有する。タイル切断用定規１は、プラスチック製やゴム製とすることで、可撓性ないし柔軟性を有する。また、タイル切断用定規１は、プラスチック製とすることで、透明ないし半透明である。
【００１６】
タイル切断用定規１は、互いに直交する第１の辺１１、第２の辺１２、第３の辺１３及び第４の辺１４を備える。タイル切断用定規１は、穴１５を備える。穴１５の内周縁１６は、パイプＰの外周縁に対応している。穴１５の内周縁１６は、パイプＰの直径Ｄに目地の幅Ｈを加えた直径（Ｄ＋２Ｈ）（目地を設けない場合はＨ＝０、以下、同様。）の円である。
【００１７】
以上の構成からなるタイル切断用定規１を用いて、タイルＴ２は、次のようにして切断される。まず、図２（ａ）に示すように、ｉ）パイプＰ回り以外の箇所にタイルＴ１を施工し、ｉｉ）タイル切断用定規１をパイプＰに外挿して配置し、ｉｉｉ）タイル切断用定規１の第１の辺１１とこれに近接するタイルＴ１の辺との距離を二箇所測定する。各距離Ｌ１’，Ｌ１’’が異なっていれば、タイル切断用定規１の第１の辺１１がこれに近接するタイルＴ１の辺と平行になっていないということである。この場合、図２（ｂ）に示すように、両距離が同じ距離（第１の距離Ｌ１）になるように（すなわち、タイル切断用定規１の第１の辺１１がこれに近接するタイルＴ１の辺と平行になるように）タイル切断用定規１の角度を調整する。そして、ｉｖ）調整作業により平行になったタイル切断用定規１の第２の辺１２とこれに近接するタイルＴ１の辺との距離（第２の距離Ｌ２）を測定する。
【００１８】
次に、図３（ａ）に示すように、ｖ）パイプＰ回りに施工するタイルＴ２（本例では４枚）を別の箇所に仮配置し、ｖｉ）第１の距離Ｌ１及び第２の距離Ｌ２に基づき、仮配置したタイルＴ２の上にタイル切断用定規１を位置決めする。具体的には、地面の平らな場所に幅Ｈの隙間を設けてタイルＴ２を仮配置し、タイルＴ２の第１の辺から距離（Ｌ１−Ｈ）の位置にタイル切断用定規１の第１の辺１１が位置し、かつ、タイルＴ２の第２の辺から距離（Ｌ２−Ｈ）の位置にタイル切断用定規１の第２の辺１２が位置するように、仮配置したタイルＴ２の上にタイル切断用定規１を位置決めする。このとき、位置再現性を期すために、第１の距離Ｌ１を測定したときと同様、タイルＴ２の第１の辺とタイル切断用定規１の第１の辺１１との距離を二箇所測定するのが好ましい。
【００１９】
切断用定規１を位置決めすると、ｖｉｉ）タイル切断用定規１の穴１５の内周縁１６に沿って仮配置したタイルＴ２の上に円を描く。この円は、タイルＴ２とパイプＰとの間の幅Ｈの隙間を考慮したタイルＴ２の切断線となる。そこで、図３（ｂ）に示すように、ｖｉｉｉ）描いた円に沿ってタイルＴ２を切断する。これにより、パイプＰと干渉することなく、タイルＴ２をパイプＰ回りに施工することができる。
【００２０】
なお、上記工程ｖｉ）の代わりに、図４（ａ）に示すように、パイプＰ回りに施工するタイルＴ２を既に施工したタイルＴ１の上に重ねて仮配置し、仮配置したタイルＴ２の上にタイル切断用定規１を位置決めするにあたり、タイルＴ１の辺を基準とした第１の距離Ｌ１、第２の距離Ｌ２をそのまま使用するようにしてもよい。
【００２１】
このように、本実施形態に係るタイル切断用定規１を用いれば、上記従来の方法に比べて作業工程が減るため、パイプＰ回りに施工するタイルＴ２をパイプＰ回りの形状に合わせて切断する作業を簡素化することができる。また、本実施形態に係るタイル切断用定規１を用いれば、測定誤差が生じにくくなるため、パイプＰ回りのタイルＴ２の施工をきれいに仕上げることができる。
【００２２】
なお、本発明に係るタイル切断用定規は、上記実施形態に限定されるものではなく、本発明の要旨を逸脱しない範囲で種々の変更が可能である。
【００２３】
例えば、上記実施形態においては、タイル切断用定規１を立上ったパイプＰの上端から穴１５に通すようにしている。しかし、パイプの立上り長さが長い等、タイル切断用定規をパイプの上端から穴に通すことができないあるいは困難な場合がある。このため、図５（ａ）に示すように、タイル切断用定規１は、一つの辺と穴１５の内周縁１６とを結ぶ分割線１７を設け、ここを割って径方向からパイプを挿入可能とすることができる。また、図５（ｂ）に示すように、分割式にしてもよい。
【００２４】
また、上記実施形態においては、タイル切断用定規１の穴１５の内周縁１６とパイプの外周縁とを目測で同心となるようにしている。隙間は幅Ｈしかないので、これでも十分である。しかし、目測による作業の負担を軽減し、かつ、確実に同心を出すために、図６（ａ）及び（ｂ）に示すように、タイル切断用定規１は、穴１５の内周縁１６を、パイプの外径Ｄに、パイプとタイルとの間の目地の幅Ｈを加えた内径（Ｄ＋２Ｈ）とし、かつ、穴１５の内周縁１６の少なくとも三箇所（本例では、三等分箇所）から穴１５の中心に向かって目地の幅Ｈに相当する量で突出する突起１８を設けるようにすることができる。
【００２５】
また、パイプの径が小さい（たとえば、直径８０ｍｍ以下）場合、それに合わせてタイル切断用定規が小さくなると、辺の長さも短くなり、平行を出す精度が損なわれるおそれがある。この場合、図７（ａ）に示すように、タイル切断用定規１は、第１の辺１１が長くなるように（たとえば１５０ｍｍ以上）、長方形にすることができる。
【００２６】
また、この場合、穴１５を片側に寄せて形成することで、もう片側が空くので、図７（ｂ）に示すように、タイル切断用定規１は、この空いた領域に、径が異なる別の穴１５を形成することができる。
【００２７】
また、図８（ａ）に示すように、穴１５は、辺に近づけて形成することができる。あるいは、図８（ｂ）に示すように、穴１５は、辺に接して形成することができる。これらにより、パイプが施工面の端にあるような場合にも対応可能となる。
【００２８】
また、上記実施形態においては、タイルは、縦横にまっすぐに並べる通し張りを例にしている。しかし、本発明に係るタイル切断用定規は、特定のタイルの張り方に限定されるものではなく、いずれのタイルの張り方であっても適用可能である。
【００２９】
また、上記実施形態においては、複数枚のタイルに跨ってパイプの通し穴を形成する場合を例にしている。しかし、本発明に係るタイル切断用定規は、１枚のタイルにパイプの通し穴を形成する場合にも用いられることはもちろんである。
【符号の説明】
【００３０】
１…タイル切断用定規、１１…第１の辺、１２…第２の辺、１３…第３の辺、１４…第４の辺、１５…穴、１６…内周縁、１７…分割線、１８…突起、Ｄ…パイプの直径、Ｈ…タイル間の隙間の幅（目地の幅）、Ｌ１…第１の距離、Ｌ２…第２の距離、Ｐ…パイプ、Ｔ１…パイプ回り以外の箇所に施工するタイル（切断しないタイル）、Ｔ２…パイプ回りに施工するタイル（パイプ回りの形状に合わせて切断するタイル）
【要約】
【課題】パイプ回りに施工するタイルをパイプ回りの形状に合わせて切断する作業を簡素化することができ、かつ、パイプ回りのタイルの施工をきれいに仕上げることができるタイル切断用定規及びこのタイル切断用定規を用いたタイルの切断方法を提供する。
【解決手段】本発明に係るタイル切断用定規１は、パイプ回りに施工するタイルをそのパイプ回りの形状に合わせて切断するためのものであって、板状に形成され、直交する第１の辺１１及び第２の辺１２と、パイプの外周縁に対応した内周縁１５を有してパイプを挿入可能な穴１５とを備える。
【選択図】図４【図１】
0006753028.tif 000002
【図２】
0006753028.tif 000003
【図３】
0006753028.tif 000004
【図４】
0006753028.tif 000005
【図５】
0006753028.tif 000006
【図６】
0006753028.tif 000007
【図７】
0006753028.tif 000008
【図８】
0006753028.tif 000009
【図９】
0006753028.tif 000010
【図１０】
0006753028.tif 000011
【図１１】
0006753028.tif 000012